(57)【要約】      （修正有）【課題】長尺物の固定及び運搬が容易にでき長尺物の高さ位置を切断機の高さ位置に容易に調整できる長尺物切断用架台を提供する。【解決手段】切断対象である長尺物の端部を把持する把持部１７を設け、把持部を高さ調整機能を有した脚部１８で支持し、さらにその脚部を基台部１９で支持し、基台部の下部には車輪部１５が設けられ、把持部で長尺物の端部を把持している状態で長尺物の他方端を引っ張ると、長尺物を一人で運搬することが可能となり運搬台車が不要となり、長尺物の固定と運搬との双方を賄える。【選択図】図１
0003231086.tif 000002
【実用新案登録請求の範囲】
【請求項１】
切断対象である長尺物の端部を把持する把持部と、前記把持部を支持しその高さ調整を行う脚部と、前記脚部を支持する基台部と、前記基台部の下部に設けられた車輪部とを備えたことを特徴とする長尺物切断架台。
【考案の詳細な説明】
【技術分野】
【０００１】
本考案は、長尺物を切断機で切断する際に切断する側と反対側の長尺物の端部を支持する長尺物切断用架台に関する。
【背景技術】
【０００２】
ケーブル布設や水供給などの際に行われる配管工事においては、長尺物である鋼管を現場状況に合わせて切断機で切断する場合がある。長尺物である鋼管は、鋼製電線管や水配管用亜鉛メッキ鋼管等であり、通常、その長さは定尺で３．６６ｍや４ｍ等である。そして、現場の鋼管の配置箇所に応じて所定の長さに鋼管カッターやバンドソーなどの切断機で切断し、切断した鋼管を繋ぎ合わせる配管工事をしている。長尺物には断面形状が円形の鋼管だけでなく、一般構造用角形鋼や角パイプなども含まれる。
【０００３】
図４は従来における長尺物の配置の一例を示す斜視図であり、図４（ａ）は長尺物を切断する前の長尺物の配置を示す斜視図、図４（ｂ）は長尺物を切断する際の長尺物の配置を示す斜視図である。図４（ａ）に示すように、長尺物１１を切断する前においては、長尺物１１を受台１２と切断機１３との間に掛け渡して配置される。受台１２は長尺物の床面との離隔を確保するためのものであり、切断機１３と同じ高さ位置となるようにするものである。そして、長尺物１１を切断する際には、図４（ｂ）に示すように、長尺物１１と受台１２とを移動させ、長尺物１１の切断箇所を切断機１３の位置に配置する。
【０００４】
ここで、長尺物の受台として、パイプ等の長尺物ワークピースの加工時に加工部と反対側の端部側を支承し、高さ調節が簡単でかつ異なる種類のパイプ径に対応可能にし、受台の基台にキャスタを有したものがある（例えば、特許文献１参照）。
【先行技術文献】
【特許文献】
【０００５】
【特許文献１】実用新案登録公報第３００９２５５号公報
【考案の概要】
【考案が解決しようとする課題】
【０００６】
しかし、長尺物を切断する際には、図４に示すように、長尺物１１を受台１２と切断機１３との間に掛け渡した状態で、長尺物１１を切断機１３での切断位置まで移動させる必要があるので、長尺物１１を運搬するのに手間がかかる。例えば、長尺物１１の両端部を２人で持ち抱えて運搬することになるので運び難い。特に肉厚の長尺物は、重いので両端部だけでなく中間部にも人を配置しなければならないので複数人となる場合がある。
【０００７】
また、受台１２は単に長尺物１１の端部を搭載しているだけであるので、切断時において受台１２に搭載している長尺物１１の端部が動かないように長尺物１１の端部を押さえておく必要がある。つまり、長尺物を切断する人と長尺物を支える人との２人が必要となる。
【０００８】
特許文献１のものは、基台にキャスターを有しているが、加工部の反対側の端部側を単に支承しているだけでその端部を把持していないので、長尺物の端部の固定が不安定である。従って、長尺物１１を運搬する際や切断する際には、基台から長尺物が外れないように長尺物を押さえておかなければならない。また、切断機１３と長尺物１１の端部の高さを揃える必要がある。
【０００９】
本考案の目的は、長尺物の固定及び運搬が容易にでき長尺物の高さ位置を切断機の高さ位置に容易に調整できる長尺物切断用架台を得ることである。
【課題を解決するための手段】
【００１０】
本考案の長尺物切断架台は、切断対象である長尺物の端部を把持する把持部と、前記把持部を支持しその高さ調整を行う脚部と、前記脚部を支持する基台部と、前記基台部の下部に設けられた車輪部とを備えたことを特徴とする。
【考案の効果】
【００１１】
本考案によれば、把持部で長尺物の端部を把持するので、長尺物の断面形状や断面サイズが異なっても長尺物の端部を固定できる。把持部を支持する脚部の下部の基台部には車輪部が設けられているので、把持部で長尺物の端部を把持している状態で長尺物の他方端を引っ張ると、長尺物を一人で運搬することが可能となり運搬台車が不要となる。
【００１２】
また、長尺物切断架台自体が受台の役割を果たすので切断時には受台は不要となる。脚部は高さを調整できるので、長尺物の高さ位置を切断機の高さ位置に容易に調整できる。このように、運搬や高さ調整が容易にできるので、長尺物の横方向への突合せも容易にでき、既設管路などへの合せ込みが一人で容易にできる。
【図面の簡単な説明】
【００１３】
【図１】本考案の実施形態に係る長尺物切断架台の構成図。
【図２】本考案の実施形態に係る長尺物切断架台の使用の一例を示す斜視図。
【図３】本考案の実施形態に係る長尺物切断架台を用いた長尺物の切断の際の配置を示す斜視図。
【図４】従来における長尺物の配置の一例を示す斜視図。
【考案を実施するための形態】
【００１４】
以下、本考案の実施形態を説明する。図１は本考案の実施形態に係る長尺物切断架台の構成図で有り、図１（ａ）は正面図、図１（ｂ）は図１（ａ）の矢印Ａ方向から見た側面図である。長尺物切断架台１６は、切断対象である長尺物の端部を把持する把持部１７と、把持部１７を支持する脚部１８と、脚部１８を支持する基台部１９と、基台部１９の下部に設けられた車輪部１５とを有している。
【００１５】
長尺物切断架台１６の把持部１７は、切断対象である長尺物の端部を把持するものであり、把持固定部２０と把持可動部２１とを有し、この間に長尺物を配置し、長尺物を把持することになる。すなわち、ハンドル２２の回動により把持可動部２１を移動させ、把持固定部２０と把持可動部２１との間隔を調整して長尺物を把持する。従って、長尺物の断面形状が丸形や角形であっても、また、断面サイズが異なっても長尺物の端部を固定できる。
【００１６】
把持部１７を支持する脚部１８はパンダクラフジャッキで形成される。すなわち、脚部１８は、把持部１７の高さを調整する高さ調整機構部２３を有し、４個の棒状部材を菱形に配置して折り畳み式に形成される。高さ調整機構部２３のボルト軸２４は、例えば、ボルト軸２４のボルト頭２５を手動または電動インパクトレンチで駆動して回転させる。これにより、脚部１８の菱形の対角線の長さを調整して把持部１７の高さを調整する。菱形の縦方向の対角線を長くすれば把持部１７の高さは高くなり、逆に、菱形の横方向の対角線を長くすれば把持部１７の高さは低くなる。
【００１７】
脚部１８は基台部１９に搭載され支持される。基台部１９の下部には車輪部１５が設けられている。車輪部１５の車輪としては、車輪が自在に向きの変わるキャスターを用いる。キャスターには車輪の動きをロックするロック機構を有している。
【００１８】
図２は、本考案の実施形態に係る長尺物切断架台の使用の一例を示す斜視図であり、図２（ａ）は本考案の実施形態に係る長尺物切断架台を用いて長尺物を切断する前の長尺物の配置の一例を示す斜視図、図２（ｂ）は長尺物を切断する際に切断機の位置に長尺物の切断位置を配置する作業の一例を示す斜視図である。
【００１９】
図２（ａ）に示すように、長尺物１１を切断する前においては、長尺物１１を本考案の実施形態に係る長尺物切断用架台１６と切断機１３との間に掛け渡して配置される。この場合、長尺物切断架台１６の車輪部１５はロックされている。なお、図２（ａ）、（ｂ）では、切断機１３は搭載台１４に搭載されている場合を示しているが、長尺物切断架台１６の脚部１８は高さ調整機構部２３を有しているので必ずしも搭載台１４を用いなくてもよい。
【００２０】
そして、長尺物１１を切断する際には、長尺物切断架台１６の車輪部１５のロックを外し、図２（ｂ）に示すように、作業員２６は切断機１３側の長尺物１１の端部を持ち上げ引っ張ることで、長尺物１１を切断機１３側に引き寄せる。長尺物切断用架台１６側の長尺物１１の端部は、長尺物切断用架台１６の把持部１７で把持され、長尺物切断用架台１６の基台部１９の下部には車輪部１５が設けられているので、切断機１３側の長尺物１１の端部を持ち上げ引っ張ることで、長尺物１１を一人で切断機１３側に運搬できる。
【００２１】
図３は、本考案の実施形態に係る長尺物切断架台を用いた長尺物の切断の際の配置を示す斜視図である。図３では、図２の場合と同様に、切断機１３は搭載台１４に搭載されている場合を示している。
【００２２】
前述したように、切断機１３側の長尺物１１の端部を持ち上げ引っ張ることで、長尺物１１を一人で切断機１３側に運搬できるので、切断機１３の台車１４の車輪部１５のロック機構をロックしておき、図３に示すように、長尺物１１を切断機１３の位置まで移動させ、その位置に長尺物１１を配置する。そして、長尺物１１を切断する際には、長尺物切断用架台１６の車輪部１５のキャスターをロック機構でロックし、切断機１３で長尺物１１を切断することになる。
【００２３】
このように、本考案の実施形態に係る長尺物切断架台１６は、長尺物１１の固定と運搬との双方を一つの治具で賄えるようにしたものである。
【００２４】
本考案の実施形態によれば、把持部１７では、把持固定部２０と把持可動部２１との間に長尺物を配置し、把持可動部２１を移動させて把持固定部２０と把持可動部２１とで長尺物１１の端部を把持するので、安定して長尺物１１の端部を固定できる。すなわち、長尺物の断面形状や断面サイズが異なっても長尺物１１の端部を安定して固定できる。
【００２５】
把持部１７を支持する脚部１８はパンダクラフジャッキで形成され、高さ調整機構部２３により脚部１８の菱形を変形させることにより把持部１７の高さを調整できるので、長尺物１１の高さ位置を切断機１３の高さ位置に容易に調整できる。
【００２６】
また、把持部１７を支持する脚部１８の下部の基台部１９には車輪部１５が設けられているので、把持部１７で長尺物１１の端部を把持している状態で長尺物１１の他方端を引っ張ると、長尺物１１の一人での運搬が可能となり運搬台車が不要となる。さらには、基台部１９の車輪部１５のロック機構で車輪をロックすることにより、長尺物切断架台１６自体が受台の役割を果たすので切断時には受台は不要となる。このように、長尺物１１の運搬や高さ調整が容易にできるので、長尺物１１の横方向への突合せも容易にでき、既設管路などへの合せ込みが一人で容易にできる。
【００２７】
以上、本考案の実施形態を説明したが、この実施形態は、例として提示したものであり、考案の範囲を限定することは意図していない。この新規な実施形態は、その他の様々な形態で実施されることが可能であり、考案の要旨を逸脱しない範囲で、種々の省略、置き換え、変更を行うことができる。この実施形態やその変形は、考案の範囲や要旨に含まれるとともに、実用新案登録請求の範囲に記載された考案とその均等の範囲に含まれる。
【符号の説明】
【００２８】
１１…長尺物、１２…受台、１３…切断機、１４…搭載台、１５…車輪部、１６…長尺物切断用架台、１７…把持部、１８…脚部、１９…基台部、２０…把持固定部、２１…把持可動部、２２…ハンドル、２３…高さ調整機構部、２４…ボルト軸、２５…ボルト頭、２６…作業員
【図１】
0003231086.tif 000003
【図２】
0003231086.tif 000004
【図３】
0003231086.tif 000005
【図４】
0003231086.tif 000006